(57)【要約】【課題】  身長が低い人にも身長が高い人にも適合させることができる握り部高さ可変車両用吊り手を提供する。【解決手段】  握り部高さ可変車両用吊り手において、吊り手受け棒１に下げられる吊り紐２の下端部に握り部材支持部３を設け、この握り部材支持部３に高さを変更できる握り部材５を保持するようにする。【選択図】  図１
2008222129.tif 000002
【特許請求の範囲】
【請求項１】
吊り手受け棒に下げられる吊り紐の下端部に握り部材支持部を設け、該握り部材支持部に高さを変更できる握り部材を保持するようにしたことを特徴とする握り部高さ可変車両用吊り手。
【請求項２】
請求項１記載の握り部高さ可変車両用吊り手において、前記握り部材支持部の両内側面に握り部材の高さを設定する多段ストッパ部を有する握り部材位置決め溝が形成され、該溝に握り部材を位置決めしたことを特徴とする握り部高さ可変車両用吊り手。
【請求項３】
請求項１記載の握り部高さ可変車両用吊り手において、前記握り部材支持部を鉛直方向に直交する棒状部材となし、該棒状部材の両端に楕円形状の握り部材を中心から偏倚させて固定したことを特徴とする握り部高さ可変車両用吊り手。
【発明の詳細な説明】
【技術分野】
【０００１】
本発明は、握り部高さ可変車両用吊り手に係り、特に、鉄道車両用握り部高さ可変車両用吊り手に関するものである。
【背景技術】
【０００２】
従来、車両用吊り手の高さを自在に調整にできると身長の低い人にも身長の高い人にも利用しやすい。
【０００３】
そこで、従来、吊り紐部分をパイプにして、バネで跳ね上がるようにした吊り手や、巻きバネを利用して、車両用吊り手の高さを自在に調整できる車両用吊り手が提案されている（下記特許文献１，２参照）。
【特許文献１】特開２００１−７１８０５号公報
【特許文献２】特開２０００−４３７２０号公報
【発明の開示】
【発明が解決しようとする課題】
【０００４】
しかしながら、身長が低い人が吊り手に届かないことが問題になっているが、吊り手の位置を下げると、身長が高い人の顔に吊り手が当たったり、視覚的に邪魔になるといった問題がある。
【０００５】
この問題を解決するための跳ね上げ式の吊り手では、跳ね上げの際に他の乗客の顔にあたるといった危険性がある。
【０００６】
本発明は、上記状況に鑑みて、身長が低い人にも身長が高い人にも適合させることができる握り部高さ可変車両用吊り手を提供することを目的とする。
【課題を解決するための手段】
【０００７】
本発明は、上記目的を達成するために、
〔１〕握り部高さ可変車両用吊り手において、吊り手受け棒に下げられる吊り紐の下端部に握り部材支持部を設け、この握り部材支持部に高さを変更できる握り部材を保持するようにしたことを特徴とする。
【０００８】
〔２〕上記〔１〕記載の握り部高さ可変車両用吊り手において、前記握り部材支持部の両内側面に握り部材の高さを設定する多段ストッパ部を有する握り部材位置決め溝が形成され、この溝に握り部材を位置決めしたことを特徴とする。
【０００９】
〔３〕上記〔１〕記載の握り部高さ可変車両用吊り手において、前記握り部材支持部を鉛直方向に直交する棒状部材となし、この棒状部材の両端に楕円形状の握り部材を中心を偏倚させて固定したことを特徴とする。
【発明の効果】
【００１０】
本発明によれば、身長が低い人にも身長が高い人にも適合させることができる握り部高さ可変車両用吊り手を提供することができる。
【発明を実施するための最良の形態】
【００１１】
本発明の握り部高さ可変車両用吊り手は、吊り手受け棒に下げられる吊り紐の下端部に握り部材支持部を設け、該握り部材支持部に高さを変更できる握り部材を保持するようにする。
【実施例】
【００１２】
以下、本発明の実施の形態について詳細に説明する。
【００１３】
図１は本発明の第１実施例を示す握り部の高さを変更可能にする握り部を有する吊り手を示す図である。
【００１４】
この図において、１は吊り手受け棒、２は吊り手受け棒１に下げられる吊り紐、３は吊り紐２の下端に固定される握り部材支持体、４は握り部材支持体３の両内側面に形成される２段変更用の溝、５は握り部材材であり、この握り部材５の両端には前記した２段変更用の溝４に係合する突起部６が形成されている。また、この握り部材５は中央部分の径が細くなるように鼓形状となっているので、利用者にとっては握り易い。
【００１５】
ここで、２段変更用の溝４は、鉛直方向に延びる第１の溝４Ａと、この第１の溝４Ａに連通する傾斜溝４Ｂからなり、第１の溝４Ａの最下端部４Ｃを第１のストッパ部としており、傾斜溝４Ｂの最下端部４Ｄを第２のストッパ部となるように構成している。
【００１６】
したがって、握り部材５の突起部６が第１のストッパ部４Ｃに位置する場合には、握り部材５は下方に位置することになる。そこで、握り部材５の位置を上方に設定したい場合には、握り部材５の突起部６を第１の溝４Ａに沿って持ち上げて、傾斜溝４Ｂの入口に至ると握り部材５の突起部６を傾斜溝４Ｂに沿って移動させて、傾斜溝の第２のストッパ部４Ｄに握り部材５の突起部６を保持させることにより、握り部材５を上方に設定することができる。
【００１７】
なお、上記実施例では、握り部材の高さを２段階に変更可能にした例を示したが、傾斜溝を増加することにより、３段以上に変更可能に構成することができることは言うまでもない。
【００１８】
図２は本発明の第１実施例を示す握り部材の第１変形例を示す図である。
【００１９】
この変形例では、握り部材１１は、同じ径で垂れ下がったような形状をしており、その両端には、前記した２段変更用の溝４に係合する突起部１２が形成されている。この握り部材１１によれば、利用者はリラックスした状態で握り部材１１を握ることができる。
【００２０】
また、握り部材の形状としては、図３に示すように、樽形状の握り部材２１としてもよい。ここでも、その両端には２段変更用の溝４に係合する突起部２２が形成されている。
【００２１】
更に、握り部材の形状としては、図４に示すように、円環状の握り部材３１として、その両端には２段変更用の溝１４に係合する突起部３２が形成されている。つまり、図１に示した回転式の円環状の握り部を２段の高さに変更することができる。
【００２２】
図５は本発明の第２実施例を示す握り部の高さを２段に変更することができる握り部を有する吊り手を示す図である。
【００２３】
ここでは、４１は吊り手受け棒、４２は吊り手受け棒４１に下げられる吊り紐、４３は吊り紐４２の下端に直交するように固定される棒状の握り部材支持体、４４はその握り部材支持体４３の両端に固定される楕円形状の握り部である。この楕円形状の握り部４４は握り部材支持体４３の両端に短軸が固定されるが、その場合、楕円形状の握り部４４の中心位置から偏倚（ずらして）させた位置に握り部材支持体４３を固定するようにしている。
【００２４】
このように構成したので、図５に示すような態様で吊り手が使用される場合には、握り部４４Ａはより下方に位置することになる。したがって、身長の低い人が使用するのに好適である。また、握り部４４Ｂを握り部とする場合には、握り部４４Ｂはより上方に位置することになる。したがって、身長の高い人が使用するのに好適である。
【００２５】
また、握り部材を回転させることによって２つの形状から選択でき、２種類の高さも提供できる。
【００２６】
なお、本発明は上記実施例に限定されるものではなく、本発明の趣旨に基づいて種々の変形が可能であり、これらを本発明の範囲から排除するものではない。
【産業上の利用可能性】
【００２７】
本発明の握り部高さ可変車両用吊り手は、身長が低い人にも身長が高い人にも適合させることができる握り部高さ可変車両用吊り手として利用することができる。
【図面の簡単な説明】
【００２８】
【図１】本発明の第１実施例を示す握り部の高さを変更可能にすることができる握り部を有する吊り手を示す図である。
【図２】本発明の第１実施例を示す握り部材の第１変形例を示す図である。
【図３】本発明の第１実施例を示す握り部材の第２変形例を示す図である。
【図４】本発明の第１実施例を示す握り部材の第３変形例を示す図である。
【図５】本発明の第２実施例を示す握り部の高さを２段に変更することができる握り部を有する吊り手を示す図である。
【符号の説明】
【００２９】
１，４１    吊り手受け棒
２，４２    吊り紐
３    握り部材支持体
４    ２段変更用の溝
４Ａ    鉛直方向に延びる第１の溝
４Ｂ    第１の溝に連通する傾斜溝
４Ｃ    第１の溝の最下端部（第１のストッパ部）
４Ｄ    傾斜溝の最下端部（第２のストッパ部）
５，１１，２１，３１    握り部材
６，１２，２２，３２    突起部
４３    棒状の握り部材支持体
４４    楕円形状の握り部
【図１】
2008222129.tif 000003
【図２】
2008222129.tif 000004
【図３】
2008222129.tif 000005
【図４】
2008222129.tif 000006
【図５】
2008222129.tif 000007